(57)【要約】  【課題】多指向性アンテナが接続されたアナログＴＶ放送受信装置において、ユーザの実際の視聴による判断では、好ましくない受信方向が登録されるという不具合を解消する。  【解決手段】チャンネル登録が開始されると、チャンネルカウンタがセットされ（Ｓ１）、受信方向カウンタが初期値にセットされる（Ｓ３）。次に、受信方向カウンタに基づいたアンテナの受信方向が有効になるように設定され（Ｓ４）、この時の受信強度が所定の閾値より大きい場合は（Ｓ６）、チャンネルマップに当該受信方向が登録され（Ｓ７）、所定の閾値より大きくない場合は（Ｓ６）、受信方向カウンタに「１」が加算され（Ｓ８）、受信方向カウンタが最大値に到達していなければ（Ｓ９）、再びステップＳ４に戻ってチャンネルマップへの登録を繰返す。この手順の繰り返しによって、当該チャンネルについての受信強度が閾値よりも大きい受信方向は全てチャンネルマップに登録される。【選択図】図４
2006173935.tif 000002
【特許請求の範囲】
【請求項１】
複数の受信方向を有する多指向性アンテナが接続され、
チャンネル登録時に、前記多指向性アンテナの受信するチャンネルを順次切替えて設定するチャンネル切替手段と、
前記チャンネル切替手段によって切替えられたチャンネルごとに前記多指向性アンテナの受信方向を順次切替えて設定する受信方向切替手段と、
前記受信方向切替手段によって切替えられた受信方向ごとのアナログテレビジョン放送信号の受信強度を一時的に記憶する受信強度記憶手段と、
前記受信強度記憶手段に記憶された受信強度に基づいて各チャンネルごとの有効な受信方向を決定する受信方向決定手段と、
前記受信方向決定手段によって決定された有効な受信方向を記憶する受信方向記憶手段と、
テレビジョン画面に表示するチャンネルを順送り又は逆送りするチャンネルアップダウン操作手段とを備え、
チャンネル登録時には、前記チャンネル切替手段、受信方向切替手段、受信強度記憶手段、受信方向決定手段及び受信方向記憶手段が動作して、各チャンネルについての有効な受信方向をチャンネルマップとして登録し、
ユーザによる選局時には、ユーザが指定したチャンネルについての、前記チャンネル登録時に登録した受信方向を有効としてアナログテレビジョン放送信号を受信するアナログテレビジョン放送受信装置において、
前記受信方向決定手段は、受信強度が所定の閾値を超える受信方向が１又は複数ある場合に、その受信方向を全て有効受信方向として決定し、
前記受信方向記憶手段は、前記受信方向決定手段によって決定された有効受信方向を、前記チャンネルマップ上の各チャンネルに対応づけた組みとして記憶し、さらに、
前記チャンネルアップダウン操作手段の操作によってテレビジョン画面に表示された画像の受信方向を前記チャンネルマップ上から削除する受信方向削除手段を備え、
各チャンネルに対応づけられた組の中の受信方向は、ユーザが前記チャンネルアップダウン操作手段を操作することによって切替えられて、切替えられた受信方向に基づく画像がテレビジョン画面に表示され、前記受信方向削除手段を操作することによって、テレビジョン画面に表示された画像の受信方向を前記チャンネルマップから削除可能であることを特徴とするアナログテレビジョン放送受信装置。
【請求項２】
複数の受信方向を有する多指向性アンテナが接続され、
チャンネル登録時に、前記多指向性アンテナの受信するチャンネルをユーザが指定したチャンネルに設定するチャンネル設定手段と、
前記チャンネル設定手段によって設定されたチャンネルについて前記多指向性アンテナの受信方向を順次切替えて設定する受信方向切替手段と、
前記受信方向切替手段によって切り替えられた受信方向ごとのアナログテレビジョン放送信号の受信強度を一時的に記憶する受信強度記憶手段と、
前記受信強度記憶手段に記憶された受信強度に基づいて各チャンネルごとの有効な受信方向を決定する受信方向決定手段と、
前記受信方向決定手段によって決定された有効な受信方向を記憶する受信方向記憶手段と、
テレビジョン画面に表示するチャンネルを順送り又は逆送りするチャンネルアップダウン操作手段とを備え、
チャンネル登録時には、前記チャンネル切替手段、受信方向切替手段、受信強度記憶手段、受信方向決定手段及び受信方向記憶手段が動作して、各チャンネルについての有効な受信方向を登録し、
ユーザによる選局時には、ユーザが指定したチャンネルについての、前記チャンネル登録時に登録した受信方向を有効としてアナログテレビジョン放送信号を受信するアナログテレビジョン放送受信装置において、
前記受信方向決定手段は、受信強度が所定の閾値を超える受信方向が１又は複数ある場合に、その受信方向を全て有効受信方向として決定し、
前記受信方向記憶手段は、前記受信方向決定手段によって決定された有効受信方向を各チャンネルに対応づけた組みとして記憶し、
各チャンネルに対応づけられた組みの中の受信方向は、ユーザが前記チャンネルアップダウン操作手段を操作することによって切替えられることを特徴とするアナログテレビジョン放送受信装置。
【請求項３】
前記チャンネル設定手段が、前記多指向性アンテナの受信するチャンネルを自動的に順次切替えて設定するチャンネル切替手段である請求項２に記載のアナログテレビジョン放送受信装置。
【発明の詳細な説明】
【技術分野】
【０００１】
本発明は、例えばＮＴＳＣなどのアナログテレビジョン放送を受信するためのアナログテレビジョン放送受信装置に関する。
【背景技術】
【０００２】
北米大陸では、現在ＡＴＳＣデジタルテレビジョン放送（以下、デジタルＴＶ放送と略称する）とＮＴＳＣアナログテレビジョン放送（以下、アナログＴＶ放送と略称する）とが混在して放送されている。デジタルＴＶ放送を受信できるテレビジョン受信装置（以下、デジタルＴＶ受信装置と略称する）、アナログＴＶ放送を受信できるテレビジョン受信装置（以下、アナログＴＶ受信装置と略称する）共に、購入後の最初の視聴前に、ユーザが視聴を希望するチャンネルの登録をしなければならない。つまり、チャンネルによって、よい受信画像が得られるアンテナの方向が異なり、特に北米大陸では、平野部に大都市が点在し、ＴＶ放送を受信するユーザ側から見ると、様々な方向からＴＶ放送が送信されてくるために、自分の視聴したいチャンネルの良好な受信画像が得られる受信方向を、個々のチャンネルに対応づけてＴＶ受信装置に記憶させる必要がある。
【０００３】
そこで、スマートアンテナ等の受信方向を切替えられる多指向性アンテナが実用化されつつある。一般的な地上波テレビジョン放送用のアンテナは、八木アンテナと呼ばれる形状をしており、これは、強い指向性により、弱い電波でも受信することができるのが特徴のアンテナであるが、指向性が強いために、ある放送局の電波しか受信できないと言う弱点もある。同時に、指向性が高い分、わずかな方向変化でも信号受信強度が変化する。なお、デジタルＴＶ放送受信装置は、デジタルＴＶ放送とアナログＴＶ放送の両方が混在して放送されている現在では、基本的に両方の放送を受信できるようになっているので、以下の説明では、特に断らない限りデジタルＴＶ放送受信装置は、デジタルＴＶ放送とアナログＴＶ放送の両方を受信できる装置とする。
【０００４】
また、デジタルＴＶ放送とアナログＴＶ放送の両方を受信できる多指向性アンテナにおいて、受信しようとする放送電波に対してアンテナの指向性を速やかに設定させる技術が知られている（特許文献１参照）。
【特許文献１】特開２００４−１７３０６２号公報
【発明の開示】
【発明が解決しようとする課題】
【０００５】
上述のように、北米大陸では、放送電波が全方向から来る可能性があり、そのため、ＴＶ放送受信においては、多指向性のアンテナ（スマートアンテナ）が必要とされ、ＥＩＡ−９０９規格によれば、スマートアンテナは円を１６分割した各方向に受信方向を有すると規定されている。一方、ＴＶ放送信号を受信するディジタルＴＶ放送受信装置としては、ＥＩＡ−９０９規格に準拠して１６方向の全てに対して多指向性アンテナの受信方向を調整できるように設定されている。
【０００６】
また、デジタルＴＶ放送受信装置には、購入後の最初の視聴前に全チャンネルのＴＶ放送信号を最も状態良く受信できるアンテナの方向を選択するオートスキャン機能が備え付けられているものも存在する。オートスキャン機能とは、ＴＶ放送受信装置に接続された多指向性アンテナに、ＴＶ放送受信装置側から制御信号を送信して、多指向性アンテナの有効な受信方向を１６方向について順に遷移させ（スキャン）、どの受信方向における受信状態が最も良好であるかを検出し、これを全てのチャンネルについて自動的に行う機能である。デジタルＴＶ放送受信装置に、このオートスキャン機能を搭載することによって、購入後のチャンネル登録時の手間が大幅に削減されることとなった。
【０００７】
一方、オートスキャン機能における問題点として以下に述べる点が挙がっている。つまり、オートスキャン機能において、多指向性アンテナの、どの受信方向での受信状態が最も良好であるかの判定は、デジタルＴＶ放送の場合は受信強度とビットエラーレートの値で計っており、アナログＴＶ放送の場合は受信強度で計っている。デジタルＴＶ放送を受信する場合は、受信強度とビットエラーレートの値の両方で判定するので（特に、ビットエラーレートによる判定は画像の鮮明度をよく反映する）、これらの値に基づいて最も受信状態が良好と判定されたアンテナ受信方向は、実際のＴＶ放送の受信画像を人間が視聴することによって最も良好と判定したアンテナ受信方向とよく一致する。ところが、アナログＴＶ放送の場合には、受信強度の値のみを基準にして判定するので、ＴＶ放送受信装置によって最も良好な受信状態が得られると判定されたアンテナ受信方向での受信画像が、人間の視聴による判定の場合には必ずしも、最も良好な受信画像とは一致しないことがある。
【０００８】
さらに具体的に説明すると、アナログＴＶ放送の場合、受信画像に表れる欠陥として大別してノイズとゴーストがあるが、受信強度の値のみを基準にして判定すれば、ノイズは少ないけれども顕著なゴーストが現れる受信方向を最も良好な受信方向として決定してしまう場合がある。ユーザが、仮にゴーストを嫌うユーザであった場合には、そのユーザにとっては、その受信方向は選択すべきではない受信方向となってしまう。つまり、そのユーザにとっては画像の鮮明度は多少劣るが、ゴーストの現れない別の受信方向の方が選択すべき受信方向であったことになる。ところが、現状のＴＶ放送受信装置では、前述のように受信強度の値を基準にして最も良好な受信方向を１つ選び、その受信方向を当該チャンネルについての最適な受信方向として登録するので、結果的にユーザは選択すべき受信方向での視聴ができないことになっていた。
【０００９】
本発明は、上記の問題を解決するためになされたものであり、多指向性アンテナが接続されたアナログＴＶ放送受信装置において、チャンネル登録時に、同一のチャンネルについて受信強度が所定の閾値を超える受信方向が複数ある場合、それら複数の受信方向の全てを有効な受信方向として登録し、事後においてユーザがそれら複数の受信方向によるＴＶ放送受信を簡単な操作によって切替え、ユーザの選択しない受信方向を削除できるようにして、ユーザが容易に好みのアンテナ受信方向においてアナログＴＶ放送を視聴できるアナログＴＶ放送受信装置を提供することを目的とする。
【課題を解決するための手段】
【００１０】
上記目的を達成するための請求項１の発明は、複数の受信方向を有する多指向性アンテナが接続され、チャンネル登録時に、前記多指向性アンテナの受信するチャンネルを順次切替えて設定するチャンネル切替手段と、前記チャンネル切替手段によって切替えられたチャンネルごとに前記多指向性アンテナの受信方向を順次切替えて設定する受信方向切替手段と、前記受信方向切替手段によって切替えられた受信方向ごとのアナログテレビジョン放送信号の受信強度を一時的に記憶する受信強度記憶手段と、前記受信強度記憶手段に記憶された受信強度に基づいて各チャンネルごとの有効な受信方向を決定する受信方向決定手段と、前記受信方向決定手段によって決定された有効な受信方向を記憶する受信方向記憶手段と、テレビジョン画面に表示するチャンネルを順送り又は逆送りするチャンネルアップダウン操作手段とを備え、チャンネル登録時には、前記チャンネル切替手段、受信方向切替手段、受信強度記憶手段、受信方向決定手段及び受信方向記憶手段が動作して、各チャンネルについての有効な受信方向をチャンネルマップとして登録し、ユーザによる選局時には、ユーザが指定したチャンネルについての、前記チャンネル登録時に登録した受信方向を有効としてアナログテレビジョン放送信号を受信するアナログテレビジョン放送受信装置において、前記受信方向決定手段は、受信強度が所定の閾値を超える受信方向が１又は複数ある場合に、その受信方向を全て有効受信方向として決定し、前記受信方向記憶手段は、前記受信方向決定手段によって決定された有効受信方向を、前記チャンネルマップ上の各チャンネルに対応づけた組みとして記憶し、さらに、前記チャンネルアップダウン操作手段の操作によってテレビジョン画面に表示された画像の受信方向を前記チャンネルマップ上から削除する受信方向削除手段を備え、各チャンネルに対応づけられた組の中の受信方向は、ユーザが前記チャンネルアップダウン操作手段を操作することによって切替えられて、切替えられた受信方向に基づく画像がテレビジョン画面に表示され、前記受信方向削除手段を操作することによって、テレビジョン画面に表示された画像の受信方向を前記チャンネルマップから削除可能になしたものである。
【００１１】
請求項２の発明は、複数の受信方向を有する多指向性アンテナが接続され、チャンネル登録時に、前記多指向性アンテナの受信するチャンネルをユーザが指定したチャンネルに設定するチャンネル設定手段と、前記チャンネル設定手段によって設定されたチャンネルについて前記多指向性アンテナの受信方向を順次切替えて設定する受信方向切替手段と、前記受信方向切替手段によって切り替えられた受信方向ごとのアナログテレビジョン放送信号の受信強度を一時的に記憶する受信強度記憶手段と、前記受信強度記憶手段に記憶された受信強度に基づいて各チャンネルごとの有効な受信方向を決定する受信方向決定手段と、前記受信方向決定手段によって決定された有効な受信方向を記憶する受信方向記憶手段と、テレビジョン画面に表示するチャンネルを順送り又は逆送りするチャンネルアップダウン操作手段とを備え、チャンネル登録時には、前記チャンネル切替手段、受信方向切替手段、受信強度記憶手段、受信方向決定手段及び受信方向記憶手段が動作して、各チャンネルについての有効な受信方向を登録し、ユーザによる選局時には、ユーザが指定したチャンネルについての、前記チャンネル登録時に登録した受信方向を有効としてアナログテレビジョン放送信号を受信するアナログテレビジョン放送受信装置において、前記受信方向決定手段は、受信強度が所定の閾値を超える受信方向が１又は複数ある場合に、その受信方向を全て有効受信方向として決定し、前記受信方向記憶手段は、前記受信方向決定手段によって決定された有効受信方向を各チャンネルに対応づけた組みとして記憶し、各チャンネルに対応づけられた組みの中の受信方向は、ユーザが前記チャンネルアップダウン操作手段を操作することによって切替えられるようになしたものである。
【００１２】
請求項３の発明は、請求項２に記載のアナログテレビジョン放送受信装置において、前記チャンネル設定手段を、前記多指向性アンテナの受信するチャンネルを自動的に順次切替えて設定するチャンネル切替手段になしたものである。
【発明の効果】
【００１３】
本発明によれば、チャンネル登録時に、同一のチャンネルについて受信強度が所定の閾値を超える受信方向が複数ある場合、それら複数の受信方向の全てを当該チャネルについての有効な受信方向として登録するので、事後においてユーザがそれら複数の受信方向によるＴＶ放送受信をチャンネルアップダウン操作によって切替えて、ユーザの選択しない受信方向を簡単に削除でき、容易に好みのアンテナ受信方向におけるアナログＴＶ放送を視聴できる。
【発明を実施するための最良の形態】
【００１４】
以下、本発明の一実施形態について図面を参照して説明する。図１は、ユーザが家庭においてＴＶ放送を受信する状況を示す。図１に示すアナログＴＶ放送及びデジタルＴＶ放送が行われている地域（Ａ地域、Ｂ地域、Ｃ地域など）に囲まれた場所では、周りに点在する放送局から送信されてくるＴＶ放送信号を受信して、アナログＴＶ放送及びデジタルＴＶ放送の数多くのＴＶ番組を視聴することができる。このような状況に対応して、複数の受信方向を有するスマートアンテナと呼ばれる多指向性アンテナが実用化されている。
【００１５】
デジタルＴＶ放送受信装置は、前述のとおり一般的にアナログＴＶ放送も受信することができ、以下の説明では、アナログＴＶ放送も受信できるデジタルＴＶ放送受信装置について本実施形態を説明する。したがって、もちろん以下の説明ではアナログＴＶ放送を受信するアナログＴＶ放送受信装置としての部分について主に説明する。また、混乱を避けるために以下の実施形態のデジタルＴＶ放送受信装置をテレビジョン放送受信装置（ＴＶ放送受信装置）と称する。
【００１６】
本実施形態に係るＴＶ放送受信装置１は、多指向性アンテナ２が接続され、チャンネル登録時には、規格で定められている１６の受信方向のそれぞれについてＴＶ放送信号の受信を行い、受信状態を測定する。そして、各チャンネルについて受信強度が所定の閾値を超える受信方向を全て記憶しておき、事後においてユーザがチャンネルアップダウン操作によって受信チャンネルを送り操作すると、チャンネルが切替わると共に、各チャンネル内の複数の受信方向についても順に切替えられるようになっている。
【００１７】
図２は、本実施形態に係るＴＶ放送受信装置１の電気的ブロック構成を示す。ＴＶ放送受信装置１は多指向性アンテナ２に接続され、ＴＶ放送信号を受信するチューナ１１、チューナ１１で受信したデジタルＴＶ放送信号に対して所定の信号処理を行い、復号化するＡＴＳＣフロントエンド１２、チューナ１１で受信したアナログＴＶ放送信号を復号化するＮＴＳＣデコーダ１３、ＭＰＥＧ圧縮されていたＴＶ放送信号をデコードするＭＰＥＧデコーダ１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２ａを制御すると共に、ＡＴＳＣフロントエンド１２やＮＴＳＣデコーダ１３などを制御する制御部（マイクロコンピュータ）１６、デコードされたＴＶ放送信号を一時的に記憶し、またデコードされたＴＶ放送信号に重畳させる表示画像を記憶するメモリ１７などで構成されている。ＭＰＥＧデコーダ１４によりデコードされたＴＶ放送信号は、オンスクリーンディスプレイ部１５を介してモニタ装置３に画像として出力され、表示される。
【００１８】
また、制御部１６には、リモコン１８からの赤外線信号を受信するリモコン受信部１９が接続されており、ユーザがリモコン１８を操作して種々の指示コマンド（電源のオン・オフ、チャンネルの切替え等）を入力すれば、その指示コマンドがリモコン受信部１９を介して制御部１６に入力され、制御部１６は各部に制御信号を発信して当該指示コマンドに従った動作をさせる。具体的には、リモコン１８には、電源キー２１、アナログＴＶ放送受信とデジタルＴＶ放送受信を切替えるモード切替キー２２、チャンネル番号を入力するためのテンキー２３、受信チャンネルを順送り又は逆送りさせるチャンネルアップダウンキー２４、モニタ装置３の画面にメニュー画面を表示させるためのメニューキー２５、画面上のカーソルを移動させるための十字キー２６及び決定キー２７等が備えられている。
【００１９】
多指向性アンテナ２の制御ユニット２ａは、制御部１６からの制御信号に応じて起動し、多指向性アンテナ２の検出後、多指向性アンテナ２の複数の受信方向のうち、指示された方向のみを有効にする。多指向性アンテナ２がモータでアンテナを回転させて受信方向を切り換えるタイプである場合、制御ユニット２ａはモータの回転を制御して、アンテナを指示された方向に向ける。一方、多指向性アンテナ２が電子スイッチのオン・オフにより有効なアンテナの方向を切り換えるタイプである場合、指示された方向のアンテナに接続された電子スイッチのみをオンし、その他の電子スイッチをオフする。
【００２０】
図３は、多指向性アンテナ２（スマートアンテナ）がＥＩＡ−９０９規格で定められた１６方向の受信方向を有する場合における、ＴＶ放送信号のアンテナの方向の違いによる受信状態例を示したものである。同図において、符号Ｄ０１〜Ｄ１６は、それぞれＥＩＡ−９０９規格で定められた１６の受信方向を示す。例えば、図３に太字の矢印で示した方向が２チャンネルの電波到来方向であるとすると、多指向性アンテナ２の符号Ｄ０１で示した方向を有効とした時に、２チャンネルの受信強度が最大となる。
【００２１】
次に、購入後の最初の視聴前に行われるオートスキャン処理（チャンネル登録）について図４のフローチャートに基づいて説明する。オートスキャン処理は、冒頭で説明したように、多指向性アンテナ２の制御ユニット２ａに、ＴＶ放送受信装置１側から制御信号を送信して、多指向性アンテナ２の有効な受信方向を１６方向について順に遷移（スキャン）させ、どの受信方向における受信状態が良好であるかを検出し、これを全てのチャンネルについて自動的に行う機能である。なお、以下に説明するオートスキャン処理は、アナログＴＶ放送についての処理手順であり、全ての手順を制御部１６が管理して実行する。また、各チャンネルごとの受信方向の記憶等の各種記憶はマイクロコンピュータとしての制御部１６内のメモリ（不図示）に格納される。
【００２２】
まず、ユーザがリモコン１８の操作によって、オートスキャン処理を指示すると、チャンネルカウンタがセットされる（Ｓ１）。つまり、変数Ｃｎの初期値として「２」が与えられ、最大値Ｃｍａｘとして「６９」がセットされる。次に、チューナ１１に当該チャンネル（２チャンネル）の周波数が設定され（Ｓ２）、受信方向カウンタＤｎが初期値「１」にセットされる（Ｓ３）。このようにしてセットされた受信方向カウンタＤｎ＝１に基づいて多指向性アンテナ２の受信方向Ｄ０１が有効になるように設定され（Ｓ４）、この時の受信強度が制御部１６内のメモリに一時的に記憶される（Ｓ５）。そして、記憶された受信強度が所定の閾値より大きい場合は（Ｓ６でＹＥＳ）、チャンネルマップに当該受信方向が登録され（Ｓ７）、所定の閾値より大きくない場合は（Ｓ６でＮＯ）、受信方向カウンタＤｎに「１」が加算され（Ｓ８）、受信方向カウンタＤｎが「１６」に到達していなければ（Ｓ９でＮＯ）、再びステップＳ４に戻って次の受信方向における受信強度の記憶と閾値との比較及び受信強度が閾値より大きかった場合のチャンネルマップへの登録を繰返す。
【００２３】
このようにして制御部１６のメモリ内に作成されるチャンネルマップ３０について、図５に基づいて説明する。図５は、アナログＴＶ放送のチャンネルとデジタルＴＶ放送のチャンネルが同一のチャンネルマップ３０として作成された場合を示し、この例の場合は４チャンネルがアナログＴＶ放送チャンネルであり、３チャンネルと６チャンネルがデジタルＴＶ放送チャンネルである。したがって、以下においては、アナログＴＶ放送チャンネルである４チャンネルを中心に説明する。なお、サブチャンネル３１は同一のチャンネルに含まれる仮想チャンネルの番号を示し、４チャンネルはアナログＴＶ放送であるのでサブチャンネルは存在せず、ゼロが記録されている（３チャンネルと６チャンネルについてはデジタルＴＶ放送であるので、サブチャンネルを有している）。有効受信方向３２は各チャンネルについての受信強度が所定閾値以上となった受信方向を示している。つまり、ステップＳ７おいて登録された受信方向が記録される。この例の場合には、多指向性アンテナ２における受信方向Ｄｎが０１、０２、０３及び０４の４つの受信方向において受信強度が閾値以上となったので、有効受信方向３２の欄に「０１」「０２」「０３」及び「０４」が記録されている。このように、チャンネルマップ３０において有効受信方向３２は、必ずチャンネルに対応付けた組として記憶される。
【００２４】
再び図４のフローチャートに戻って説明する。ステップＳ９で受信方向カウンタＤｎが「１６」に到達するということは、多指向性アンテナ２の１６方向が全て検査され、最初のチャンネルについての有効受信方向の登録が終了したということであるので、次には、チャンネルカウンタＣｎに「１」が加算され（Ｓ１０）、チャンネルカウンタＣｎがＣｍａｘ＝６９未満であれば（Ｓ１１でＮＯ）、再びステップＳ２に戻ってステップＳ２以降の処理を繰り返す。チャンネルカウンタＣｎがＣｍａｘ＝６９を超えれば、オートスキャン処理（アナログＴＶ放送についてのチャンネル登録）が終了する。このようにして、全チャンネル（チャンネル２からチャンネル６９）について、有効受信方向の抽出が終了する。
【００２５】
なお、本実施形態のＴＶ放送受信装置１は、前述のとおり、デジタルＴＶ放送も受信でき、デジタルＴＶ放送についてのオートスキャン処理（チャンネル登録）は、図４のフローチャートの後に続けて行うことができる。デジタルＴＶ放送についてのオートスキャン処理も、図４のフローチャートに示した処理とほぼ同様に行うことができる。そして、チャンネルマップ３０に登録する受信方向を決定する条件として、受信強度が所定の閾値よりも大きいかどうかの基準に加えて、ビットエラーレートの値が所定値よりも大きいかどうかの基準を用いることができ、さらに各受信方向におけるビットエラーレートの値を比較してビットエラーレートが最も良い受信方向を選ぶことができるので、各チャンネルについての最適の受信方向を１つ決定することが可能である。したがって、デジタルＴＶ放送のオートスキャン処理を実行して作成されたチャンネルマップ３０は、図５に示したように、アナログＴＶ放送のチャンネル（４チャンネル）については、複数の有効受信方向が登録され、デジタルＴＶ放送のチャンネル（３チャンネルと６チャンネル）については、各単一の有効受信方向が登録されたものとなる。
【００２６】
なお、図４のフローチャートにおけるステップＳ１、Ｓ２、Ｓ１０及びＳ１１がチャンネル切替手段を構成し、ステップＳＳ３、Ｓ４、Ｓ８及びＳ９が受信方向切替手段を構成し、ステップＳ６が受信方向決定手段を構成し、ステップＳ７が受信方向記憶手段を構成する。
【００２７】
本実施形態のＴＶ放送受信装置１は、購入後の最初の視聴前に以上のオートスキャン処理（チャンネル登録）を実行することによって図５に示したチャンネルマップ３０が作成されるが、次に通常視聴時におけるチャンネルマップ３０の処理について説明する。つまり、ユーザは、通常視聴時には、視聴を希望するチャンネル番号をリモコン１８のテンキー２３を押し操作することにより入力し、制御部１６は、入力されたチャンネル番号がチャンネルマップ３０内にある場合は、そのチャンネルに対応付けられた有効受信方向３２において多指向性アンテナ２を有効とし（例えば、チャンネル番号３が入力されると、多指向性アンテナ２の受信方向Ｄ０４が有効とされる）、その受信方向における受信画像をモニタ装置３の画面３ａに表示する。また、ユーザは、リモコン１８のチャンネルアップダウンキー２４を操作して、視聴を希望するチャンネルを順送り又は逆送りして画面３ａに表示させることができる。つまり、本実施形態では、チャンネルアップダウンキー２４をチャンネルアップ方向に操作すれば、チャンネルマップ３０における行が順に繰り下がって受信されるようになっている。図５に示した例であれば、現在３チャンネルが受信されているとすると、チャンネルアップダウンキー２４をチャンネルアップ方向に１回押すことにより、４チャンネルに移行し、有効受信方向３２は０４から０１に移行する（矢印Ｃｕ１）。さらにチャンネルアップ方向に１回押せば、チャンネルは４チャンネルのままで、有効受信方向３２が０１から０２に移行する（Ｃｕ２）。チャンネルアップダウンキー２４のチャンネルアップ操作をさらに続ければ、有効受信方向３２が（図５の下方へ）さらに切替わる。また、チャンネルアップダウンキー２４をチャンネルダウン方向に操作すれば、上述と逆の方向（図５の上方）へ有効受信方向３２が切替わる。
【００２８】
次に、チャンネルマップ３０内のアナログＴＶ放送のチャンネルについて有効受信方向を削除する処理について説明する。今、ユーザがリモコン１８を上記のように操作して、チャンネル番号４、有効受信方向０２を受信できるように設定し、さらにリモコン１８のメニューキー２５を操作して受信方向削除処理を選んだとすると、モニタ装置３の画面３ａには図７に示した画像が表示される。つまり、画面３ａには、４チャンネルを受信方向０２のアンテナ受信方向で受信したライブの動画像４０が表示され、そのライブ画像４０を背景として、種々の受信方向削除のためのＯＳＤ（Ｏｎ  Ｓｃｒｅｅｎ  Ｄｉｓｐｌａｙ）が表示される。画面３ａの右上方には、チャンネル番号とサブチャンネル番号を示すチャンネル番号表示４１と、現在のアンテナ受信方向を示す受信方向表示４２が表示される。図７の画面３ａではチャンネル番号表示４１が「４−０」、受信方向表示４２が「Ｄｉｒ２」と表示されている。画面３ａの右中央には、現在の受信チャンネルと受信方向を中心として前後５つの有効受信方向がテーブル４３として表示される。図７の画面３ａでは上から「３（ＤＴＶ）」「４（Ｄｉｒ１）」・・「４（Ｄｉｒ４）」と表示されている。このテーブル４３は、ちょうどチャンネルマップ３０のチャンネル番号と有効受信方向を抜き出して表示している。
【００２９】
そして、現在の受信チャンネル、受信方向を示す位置にカーソル４４が表示され、このカーソル４４はリモコン１８の十字キー２６を操作することによって上下に移動可能になっている。カーソル４４を移動することによっても、チャンネルアップダウンキー２４と同様に、受信方向をチャンネルマップ３０に沿って順送り又は逆送りできるようになっている。つまり、今、図７に示した状態からカーソル４４を１段下げて、「４（Ｄｉｒ３）」に移動させたとすると、チャンネルは４チャンネルのままであるが、アンテナ受信方向がＤ０３へ切替わり、画面のライブ画像４０もその受信方向による受信画像へと切替わる。画面の左中央に表示された「ＡＤＤ」と「ＤＥＬ」の表示４５は、現在のチャンネルマップ処理のモードを示し、カーソル４６位置をリモコン１８操作により切替えることによって、「ＤＥＬ」操作と「ＡＤＤ」操作間で切替られるようになっている。「ＤＥＬ」操作モードは、チャンネルマップ３０内の有効受信方向３２を削除する時のモードであり、「ＡＤＤ」操作モードは、今現在のチャンネルマップ３０内に追加すべき有効受信方向があれば、その受信方向を追加する時のモードである。「ＡＤＤ」操作モードについては説明を省略する。
【００３０】
以上のように、ユーザは、リモコン１８を操作することによって、モニタ装置３の画面３ａ上にチャンネルマップ３０内の希望のチャンネルと受信方向による受信画像を表示させることができ、同一のチャンネルについて異なったアンテナ受信方向による受信画像を比較して見ることができる。したがって、図５のチャンネルマップの例であれば、４チャンネルについて、有効受信方向を０１から０４へと順に切替えた時の、それぞれのライブ画像４０を画面３ａ上で確認し、ユーザにとって、例えば受信方向０３の画像が最も好ましいと感じた場合には、残りの有効受信方向０１、０２及び０４については削除操作を行う。つまり、この例であれば、カーソル４４を移動させるか、チャンネルアップダウンキー２４を操作して、アンテナ受信方向を０１へ切替えた上（画面３ａ上のライブ画像が受信方向０１による受信画像に切替わる）、決定キー２７を押し操作することにより、チャンネルマップ３０上の４チャンネルについての有効受信方向０１を削除することができ、同様にして有効受信方向０２及び０４も削除する。このようにして、チャンネルマップ３０上で４チャンネルについての有効受信方向を０３のみとすることができる。図６に、ユーザによる有効受信方向削除処理を実行した後のチャンネルマップ３０を示す。
【００３１】
チャンネルマップ３０のアナログＴＶ放送に関する有効受信方向が、図６に示したようにユーザが選んだ最も好ましい受信方向のみ残されるので、事後にユーザがリモコン１８を用いて選局する時に、常に最も好ましい受信方向でのＴＶ放送受信が行われる。つまり、例えばリモコン１８のテンキーの「４」を押してチャンネル４を選局すれば、多指向性アンテナ２の受信方向Ｄ０３が有効とされて、その受信画像がモニタ装置３に表示される。
【００３２】
なお、上記の実施形態では、受信方向の削除処理の例として、リモコン１８のメニューキー２５操作によって、モニタ装置３の画面３ａ上に図７に示した操作用のＯＳＤ４３、４４を表示させ、それらを操作することによって、チャンネルマップ３０内のユーザが選択した有効受信方向を削除するようにしたが、チャンネルマップ３０上の有効受信方向を削除する操作は、上記例に限らず種々の変形が可能である。例えば、リモコン１８に、それを押すことにより、その時点で画面３ａ上に表示されているライブ画像４０の受信方向を、チャンネルマップ３０内から直接削除できる特定のキーを設けておくことも可能である。この場合には、リモコン１８に設けるキーの数が増えてしまうが、ユーザはメニューキー２４を押して立ち上げたメニューから受信方向削除操作のメニューを選ぶ手間が省ける。
【００３３】
また、上記実施形態では、購入後の最初の視聴前に行うオートスキャン処理（チャンネル登録）において本発明を適用し、オートスキャン処理時の各チャンネルについての受信方向遷移（スキャン）時に、受信強度が所定の閾値よりも大きい受信方向については全てチャンネルマップ３０に登録することとしたが、本発明は、オートスキャン処理以外のチャンネル登録処理にも適用可能である。例えば、ユーザがある特定のチャンネルを設定し、その設定したチャンネルについて、受信方向を１６方向の全てに遷移させるスキャン処理（以下、個別スキャン処理と称する）が知られているが、この個別スキャン処理について、本発明を適用することができる。なお、この個別スキャン処理に本発明を適用した実施形態が、請求項２の発明に相当する。
【００３４】
個別スキャン処理について、オートスキャン処理と対比させて、さらに具体的に説明する。オートスキャン処理では、図４のフローチャートに基づいて説明したように、チャンネル番号２からチャンネル番号６９までの全てのチャンネルに亘って自動的に有効な受信方向を抽出できるように、ＴＶ放送受信装置１自身（の制御部１６）が、ステップＳ１、Ｓ２、Ｓ１０及びＳ１１の処理（チャンネル切替手段）を行って、自動的にチャンネルを切替ていた。一方、個別スキャン処理は、図４のフローチャートに沿って説明すれば、ステップＳ１、Ｓ２、Ｓ１０及びＳ１１（チャンネル切替手段）を有さずに、その代わりに、ユーザがリモコン１８を用いて入力した、有効受信方向を抽出するべきチャンネルを、受信チャンネルに設定する処理（チャンネル設定手段）を行うものである。例えば、ユーザが４チャンネルを選べば、ＴＶ放送受信装置１において、チューナ１１のチャンネル周波数が４チャンネルに設定され、その後は、図４のフローチャートのステップＳ３からステップＳ９までと同様の処理が行われて、ユーザが指定したチャンネルについての、有効受信方向が登録され、チャンネルマップ３０の４チャンネルに関する部分が作成される。ユーザが他のチャンネルについてのチャンネルマップ３０作成を希望すれば、同様の操作を行って、その他のチャンネルについてのチャンネルマップを作成することができる。
【００３５】
いずれにしても、オートスキャン処理あるいは個別スキャン処理によるチャンネル登録時に、同一のチャンネルについて受信強度が所定の閾値を超える受信方向が複数ある場合、それら複数の受信方向の全てを当該チャネルについての有効な受信方向としてチャンネルマップ３０に登録するので、事後においてユーザがそれら複数の受信方向によるＴＶ放送受信をチャンネルアップダウン操作によって切替えて、ユーザの選択しない受信方向を簡単に削除できる。したがって、事後のアナログＴＶ放送の選局時に、ユーザ自身が良好と判断した受信方向における受信画像が表示される。
【図面の簡単な説明】
【００３６】
【図１】ユーザが家庭においてＴＶ放送を受信する状況を示す概念図。
【図２】本発明の一実施形態に係るＴＶ放送受信装置の構成を示す電気的ブロック図。
【図３】多指向性アンテナの方向とＴＶ放送の受信状態の一例を示す図。
【図４】上記ＴＶ放送受信装置によるオートスキャン処理を示すフローチャート。
【図５】上記ＴＶ放送受信装置によるオートスキャン処理を実行することにより作成されるチャンネルマップを示す図。
【図６】ユーザによって受信方向削除処理が行われた後のチャンネルマップを示す図。
【図７】受信方向削除処理を行う時のモニタ装置の画面を示す図。
【符号の説明】
【００３７】
１  ＴＶ放送受信装置
２  多指向性アンテナ
３  モニタ装置
３ａ  画面
１６  制御部（チャンネル切替手段、受信方向切替手段、受信強度記憶手段、受信方向決定手段、受信方向記憶手段、受信方向削除手段、チャンネル設定手段）
１８  リモコン
２４  チャンネルアップダウンキー（チャンネルアップダウン操作手段）
３０  チャンネルマップ
３２  有効受信方向
４０  受信画像
【図１】
2006173935.tif 000003
【図２】
2006173935.tif 000004
【図３】
2006173935.tif 000005
【図４】
2006173935.tif 000006
【図５】
2006173935.tif 000007
【図６】
2006173935.tif 000008
【図７】
2006173935.tif 000009